(57)【特許請求の範囲】
【請求項１】
表示手段によってファインダスクリーン上に焦点状態検出点及び検出範囲を示すことにより、焦点検出状態を表示する機能を有する撮像装置であって、
前記焦点状態検出点のそれぞれに対して割り当てられた、大きさの異なる複数の表示セグメントを用いて、各表示セグメントの表示及び非表示を制御するとともに、グループ化された複数の前記焦点状態検出点を囲むように位置した枠セグメントの表示及び非表示を制御する制御手段を備える、ことを特徴とする撮像装置。
【請求項２】
前記制御手段は前記表示手段を制御することにより、前記焦点状態検出点の選択時において、前記焦点状態検出点の位置を示す表示セグメント及び前記検出範囲を表す表示セグメントを表示させることを特徴とする、請求項１記載の撮像装置。
【請求項３】
前記制御手段は前記表示手段を制御することにより、焦点状態検出前の待機時又は測光中に、前記焦点状態検出点の位置を示す表示セグメント及び前記検出範囲を表す表示セグメントを表示させることを特徴とする、請求項１記載の撮像装置。
【請求項４】
前記制御手段は前記表示手段を制御することにより、複数の焦点状態検出点をグループ化して焦点状態検出を行うオートフォーカスモードにて、前記枠セグメントを表示させることを特徴とする、請求項１乃至３のいずれか１項に記載の撮像装置。
【請求項５】
前記制御手段は前記表示手段を制御することにより、主検出点及びその周囲に位置する従属検出点について同じ大きさの表示セグメントを用いて表示する状態と、前記主検出点及び従属検出点についてそれぞれ異なる大きさの表示セグメントを用いて表示する状態とを切り替えることを特徴とする、請求項１乃至４のいずれか１項に記載の撮像装置。
【請求項６】
前記制御手段は前記表示手段を制御することにより、前記主検出点及び従属検出点のそれぞれに割り当てられた大小２つの表示セグメントを用いて焦点検出状態を表示し、
前記従属検出点で焦点状態検出を行う場合、前記主検出点を表す表示セグメントと同じ大きさの表示セグメントを用いて当該従属検出点を表示するように制御を行うことを特徴とする、請求項５記載の撮像装置。
【請求項７】
前記制御手段は、１駒撮影ごとに自動焦点制御を行うオートフォーカスモードでの合焦時に前記従属検出点で焦点状態検出を行う場合、主検出点を表す表示セグメントと同じ大きさの表示セグメントを用いて当該従属検出点を表示し、焦点状態検出動作が終了した場合、複数の焦点状態検出点のうち合焦した焦点状態検出点を前記表示セグメントで表示するように制御を行うことを特徴とする、請求項６記載の撮像装置。
【請求項８】
前記制御手段は、焦点を被写体に追従させるオートフォーカスモードにて前記従属検出点で焦点状態検出を行う場合、主検出点を表す表示セグメントと同じ大きさの表示セグメントを用いて当該従属検出点を表示するように制御を行うことを特徴とする、請求項６記載の撮像装置。
【請求項９】
前記制御手段は、焦点状態検出前に選択可能な焦点状態検出開始点を前記表示セグメントによって表示するように制御を行うことを特徴とする、請求項６記載の撮像装置。
【請求項１０】
表示手段によってファインダスクリーン上に焦点状態検出点及び検出範囲を示すことにより、焦点検出状態を表示する機能を有する撮像装置の制御方法であって、
前記焦点状態検出点に対して大きさの異なる複数の表示セグメントを割り当てるとともに、グループ化された複数の前記焦点状態検出点を囲むように位置した枠セグメントを割り当て、各表示セグメント及び枠セグメントの表示及び非表示をそれぞれ制御することを特徴とする撮像装置の制御方法。
【発明の詳細な説明】
【技術分野】
【０００１】
本発明は、複数箇所の焦点状態検出点において焦点状態検出可能なオートフォーカス（ＡＦ）機能を有する撮像装置において、ファインダ内の表示手段を用いて、ＡＦモードや選択した焦点状態検出点の状態を明確に表示できるようにする技術に関する。
【背景技術】
【０００２】
一眼レフカメラなどでは、撮影者が光学ファインダを覗きながら該ファインダ内の表示情報から、複数のＡＦエリアと焦点状態検出点を選択し、あるいは、どのような範囲でＡＦ処理が行われるかを明確に確認できるようにした表示装置が知られている。例えば、誤選択することなく、スムーズに焦点検出領域の選択を行うことのできるファインダ内表示装置が特許文献１に開示されている。この装置では、焦点検出領域の選択時にそれらを全点灯し、選択点を点滅させることにより、全ての焦点状態検出点のうち、どの点が選択されているかを表示できる。
【先行技術文献】
【特許文献】
【０００３】
【特許文献１】特開２０００−２５０１２０号公報
【発明の概要】
【発明が解決しようとする課題】
【０００４】
ファインダスクリーン上に、プリズムで焦点状態検出枠を形成し、その部分にＬＥＤ（発光ダイオード）の光を投光し、焦点状態検出点を矩形枠にて点灯するタイプのスーパーインポーズ表示が知られている。この場合、焦点状態検出点の任意選択時や自動選択時に、焦点状態検出点の位置を示す表示点の数が多いと、撮影者が煩わしさを感じることがある。また、焦点状態検出点の位置が全て一度に表示されない場合、焦点状態検出点が密集したＡＦでないと、撮影者が選択点を選びにくいという問題がある。従来の表示形態では小さなエリアや主従の焦点状態検出点を表示上で撮影者に分かり易く表現できず、また、選択可能な焦点状態検出点の数が変化しても表示上での表現が不可能であった。
そこで本発明は、撮影者が光学ファインダを覗きながら、複数のＡＦエリアと焦点状態検出点を選択可能とし、どのようなエリアでＡＦが行われるかを明確に表示することでその確認を可能にする撮像装置及びその制御方法の提供を目的とする。
【課題を解決するための手段】
【０００５】
上記課題を解決するために、本発明に係る装置は、表示手段によってファインダスクリーン上に焦点状態検出点及び検出範囲を示すことにより、焦点検出状態を表示する機能を有する撮像装置であって、前記焦点状態検出点のそれぞれに対して割り当てられた、大きさの異なる複数の表示セグメントを用いて、各表示セグメントの表示及び非表示を制御するとともに、複数の前記焦点状態検出点を含む範囲を表す枠セグメントの表示及び非表示を制御する制御手段を備える。
【発明の効果】
【０００６】
本発明によれば、撮影者が焦点状態検出点や検出範囲を選択し易くなり、また、複数の焦点状態検出点を含む範囲を枠セグメントによって明確に表示することで、撮影者はその確認が容易となる。
【図面の簡単な説明】
【０００７】
【図１】図２乃至６と併せて本発明の一実施形態を説明するために、焦点検出状態の表示形態を例示する図である。
【図２】各ＡＦモードについて設定中、スタンバイ状態及び測光中における表示例を示す図である。
【図３】撮像装置の構成例を示すブロック図である。
【図４】撮像装置の動作制御例を説明するフローチャートである。
【図５】表示セグメントを例示した図である。
【図６】待機中、ワンショットＡＦ時、サーボＡＦ時の表示例を示す図である。
【発明を実施するための形態】
【０００８】
以下に本発明に係る実施形態について図面を用いて説明する。本発明に係る撮像装置は、多点の焦点状態検出装置と、ファインダスクリーン上に配置された焦点検出状態の表示装置を有するカメラ、又はファインダ内の実画像と重ねて観測できる焦点検出状態の表示装置を有するカメラに適用できる。そして表示装置にて表示される各焦点状態検出点については、点滅及び点消灯を独立に制御可能な、大きさの異なる複数の表示セグメントが焦点状態検出点に割り当てられており、ＡＦエリアを表す複数の表示要素を提示することができる。撮影者は光学ファインダを覗きながら、複数のＡＦエリアと焦点状態検出点を選択することができ、どのようなエリアでＡＦが行われるかを明確な表示によって確認することができる。
図１は焦点状態検出点や検出範囲の説明図であり、本例では１９個の焦点状態検出点を持つＡＦセンサを例にして説明する。図１（Ａ）に示すように、１９個の焦点状態検出点は上下方向及び左右方向において対称的な配置とされ、上方から順に１個、５個、７個、５個、１個の焦点状態検出点が所定の間隔で配置されている。なお、図１（Ｂ）及び（Ｃ）に示すＡＦエリアについては後で詳述する。
【０００９】
次に、図３を用いて、本実施形態に係る撮像装置の構成例について説明する。図３は一眼レフカメラの構成例を簡単化して示すブロック図である。
交換可能な撮影レンズ１は可動レンズを含むレンズ群、シャッタ、絞り等の光学部材を備えており、ズームレンズの場合、ズームレンズやフォーカスレンズを有し、ＡＦ駆動回路部１ａ及び絞り駆動回路部１ｂが設けられている。撮影レンズ１は、装置本体のマイクロコンピュータ１６と通信し、ＡＦ駆動回路部１ａは、例えばステッピングモータなどの駆動源でフォーカスレンズを駆動して自動焦点調節を行う。すなわちマイクロコンピュータ１６の制御によってフォーカスレンズの位置を変化させることによりピント合わせが行われる。フォーカス演算に用いるデフォーカス（焦点ずれ）量は、ＡＦセンサ２４の出力を用いてマイクロコンピュータ１６が算出する。本例では、ＡＦセンサ２４が図１（Ａ）に示すように、１９個の焦点状態検出点を有するセンサである。
【００１０】
撮影レンズ１内の絞り駆動回路部１ｂは、マイクロコンピュータ１６の制御によって絞り値を光学的に変化させる。また、マイクロコンピュータ１６は撮影レンズ１内の回路部と通信し、現在のズーム位置（焦点距離情報）、及び現在の距離環の位置（被写体距離）の情報を収得することが可能である。マイクロコンピュータ１６は撮影レンズ１内の回路部との間で通信が可能かどうかを調べることで、撮影レンズ１がカメラ本体に装着されているか、あるいは未装着状態であるかを判断できる。
【００１１】
クイックリターンミラー２は、露光の際にマイクロコンピュータ１６からの指示で不図示のアクチュエータにより上下動する。該ミラーの移動に伴って、ＡＦ光学系に光を導くためハーフミラーで構成されたサブミラーも連動する。ファインダスクリーン３は、ペンタプリズム４の入射側に位置している。撮影者はペンタプリズム４とファインダ光学系を通してファインダスクリーン３を観察することで、撮影レンズ１を通して得た被写体像のピント状態や構図を確認できる。
フォーカルプレーンシャッタ５は、マイクロコンピュータ１６によって制御され、これにより、撮像素子部６の露光時間を自由に制御できる。フォーカルプレーンシャッタ５は一般的には先幕、後幕から構成され、２枚の幕の間隔で露光時間が制御される。撮像素子部６はＣＣＤ等を用いた固体撮像素子を有し、撮影レンズ１によって撮像素子上に結像された被写体像を光電変換して電気信号として取り出す。
【００１２】
撮像信号処理部にて、クランプ／ＣＤＳ回路７やＡＧＣ（自動利得制御）部８は、Ａ／Ｄ変換前の基本的なアナログ処理を行う。マイクロコンピュータ１６の制御下で、クランプレベルやＡＧＣ基準レベルの変更も可能である。Ａ／Ｄ変換部９はアナログ信号であるＣＣＤ出力信号をデジタル信号に変換する。この際、設定されているＩＳＯ感度に応じた、アナログ−デジタル変換が行われる。
映像信号処理回路１０は、Ａ／Ｄ変換部９によってデジタル化された画像データに対し、フィルター処理、色変換処理、ガンマー及びニー処理を施す。処理されたデータはメモリコントローラ１３に出力される。映像信号処理回路１０にはＤ／Ａ変換部も内蔵されており、Ａ／Ｄ変換後の映像信号や、メモリコントローラ１３から入力される画像データをアナログ信号に変換する。変換された映像信号は、液晶駆動回路１１を通して液晶表示部１２に出力されて画像表示される。これらの機能の切り替えはマイクロコンピュータ１６とのデータ交換を通じた指示により行われる。映像信号処理回路１０は、ホワイトバランス情報をマイクロコンピュータ１６に出力可能であり、その情報に基づいてマイクロコンピュータ１６はホワイトバランス調整を行う。
【００１３】
マイクロコンピュータ１６の指示により、メモリコントローラ１３を通してバッファメモリ１９に画像データをそのまま保存することも可能である。また、映像信号処理回路１０は、ＪＰＥＧ（Joint Photographic Experts Group）などでの圧縮処理機能をもつ。連写の場合、映像信号処理回路１０は撮影データをバッファメモリ１９に一旦格納し、処理時間に余裕があるときにメモリコントローラ１３を通して未処理の画像データを読み出し、画像処理や圧縮処理を行う。これによって十分な連写スピードが確保される。連写枚数は、バッファメモリ１９の容量に左右される。本実施形態では、メモリコントローラ１３によってバッファメモリ１９に複数の画像データを保存し、映像信号処理回路１０にて複数の画像データを合成して１つの画像データを得ることが可能である。ここでの画像合成には、複数の画像データの同じ位置での輝度成分同士を比較し、値が小さい方の画像データを用いて合成する方法を用いる。
装置全体を制御するマイクロコンピュータ１６は、撮影前に設定されているＩＳＯ感度、画像サイズ、及び画質に応じた、画像サイズの予測値データに基づいて、メモリコントローラ１３を通してメモリ１４の容量を確認する。そして、マイクロコンピュータ１６は、撮影可能残数を演算で求め、その結果を表示部に表示させるように制御する。
【００１４】
メモリコントローラ１３は、映像信号処理回路１０から入力された未処理のデジタル画像データをバッファメモリ１９に格納し、処理済みのデジタル画像データをメモリ１４に格納する。またメモリコントローラ１３は、逆にバッファメモリ１９やメモリ１４から画像データを読み出して、映像信号処理回路１０に出力する。メモリコントローラ１３は、外部インターフェース部１５から送られてくる画像データをメモリ１４に記憶させ、あるいはメモリ１４に記憶されている画像データを読み出して外部インターフェース部１５から出力することができる。メモリ１４には取り外し可能な記憶媒体を用いることもできる。
【００１５】
電源部１７は、各回路部や駆動部などに必要な電源を供給する。操作部１８は、マイクロコンピュータ１６に対し、ユーザが操作する操作部材の状態に応じた指示を伝え、マイクロコンピュータ１６は指示に応じて各部を制御する。例えば、レリーズ釦２０には、スイッチ２０ａ、２０ｂが設けられる。第１スイッチ（以下、ＳＷ１と記す）としてのスイッチ２０ａのみがオン状態のとき、レリーズ釦２０は半押し状態である。スイッチ２０ａ、及び第２スイッチ（以下、ＳＷ２と記す）２０ｂが共にオン状態の場合、レリーズ釦２０は全押し状態であり、撮影が行われる。操作部１８にはレリーズ釦２０の他、ＩＳＯ設定釦、画像サイズ設定釦、画質設定釦、情報表示釦、焦点状態検出点の選択釦など、不図示のスイッチが設けられている。焦点状態検出点の選択釦はスポット、任意選択、領域拡大、ワイドエリア、又は全自動選択などのＡＦの領域モード切替を行う釦である。これらのスイッチの状態が検出されて、その検出信号がマイクロコンピュータ１６に送られる。
【００１６】
液晶駆動回路２１は、マイクロコンピュータ１６の表示命令に従って、外部液晶表示部２２やファインダ内液晶表示部２３を駆動する。本実施形態では、ファインダ内液晶表示部２３と区別するために、筐体外に付設された表示手段を外部液晶表示部２２と称している。ファインダ内液晶表示部２３には、不図示のＬＥＤなどのバックライトが配置されており、このような光源も液晶駆動回路２１によって駆動される。
【００１７】
ＡＦセンサ２４は、画面の複数個所における焦点状態検出が可能なセンサであり、マイクロコンピュータ１６に対してデフォーカス情報を出力する。マイクロコンピュータ１６は該情報に基づいて撮影レンズ１と通信し、内部のＡＦ駆動回路部１ａを用いてフォーカスレンズを駆動してピント合わせを行う。本例では、図１に示す１９個の焦点状態検出点を持つＡＦセンサとして説明する。
ＡＥ（自動露出）センサ２５は、画面の複数エリアをファインダスクリーン３上で測光する。該センサは撮影レンズ１を通した被写体の輝度を測光し、その結果をマイクロコンピュータ１６に送出する。ローパスフィルタ２６は赤外カット機能を有し、フォーカルプレーンシャッタ５と撮像素子部６との間に位置する。
【００１８】
液晶駆動回路２７は、ファインダスクリーン３の位置に配置された、焦点検出情報表示用のファインダ内液晶表示部２８を駆動する液晶ドライバであり、マイクロコンピュータ１６からの表示内容の指示に応じて駆動波形を生成する。ファインダ内液晶表示部２８は、マイクロコンピュータ１６から液晶駆動回路２７を介した指示に従って表示内容が切り替わる。本実施形態に示す液晶表示セグメントは、図１に示すように、１９個の各焦点状態検出点に対して、その位置を示す小さい四角形と、焦点状態検出範囲を表す一回り大きい四角形を二重にした構成とされ、それぞれ独立に点消灯が可能である。図１（Ｂ）に示すように、１９個の各焦点状態検出点はグループを形成することができる。例えば、左側の４つの検出点（Ｐ１乃至４）と、中央上方の４つの検出点（Ｐ５乃至８）と、中央の３つの検出点（Ｐ９乃至１１）と、中央下方の４つの検出点（Ｐ１２乃至１５）と、左側の４つの検出点（Ｐ１６乃至１９）に区分できる。図１（Ｃ）に示すように、ワイドエリアや、全自動選択の焦点状態検出点のグループを示す枠セグメントｆ１乃至１４が設けられている。なおワイドエリアは、例えば３から９個の焦点状態検出点を１グループにした自動選択モードに相当し、全自動選択は１９点全ての検出点を用いた自動選択モードに相当する。本例では、枠セグメントｆ１乃至４が焦点状態検出点Ｐ１乃至４をとり囲み、枠セグメントｆ５及びｆ８が焦点状態検出点Ｐ５乃至８の左右を囲み、枠セグメントｆ７及びｆ１０が焦点状態検出点Ｐ１２乃至１５の左右を囲んでいる。枠セグメントｆ６及びｆ９は、中央部の焦点状態検出点Ｐ５乃至１５の全体をとり囲み、枠セグメントｆ１１乃至１４が焦点状態検出点Ｐ１６乃至１９をとり囲んでいる。これらの枠セグメントのうち、外周縁に位置した、ｆ１乃至３，ｆ１１乃至１３で示す６つの枠セグメントを点灯させた状態が全自動選択モードに相当し、枠セグメント内の全ての焦点状態検出点を用いることが撮影者に提示される。また、ｆ２とｆ４、ｆ５とｆ８、ｆ６とｆ９、ｆ７とｆ１０、ｆ１２とｆ１４で示す枠セグメントをそれぞれ１セットとして、いずれかのセットでの枠セグメントを付した状態が、ワイドエリアモード時の表示である。なお枠セグメントの表示形態については後で詳述する。
【００１９】
加速度センサ２９は、カメラの姿勢変化を検出するための２軸又は３軸の加速度センサであり、その出力はマイクロコンピュータ１６に送出される。２軸の加速度センサを用いる場合、カメラの姿勢差（縦位置か横位置か）と、カメラの横位置での水平状態と、カメラの縦位置での水平状態の検出が可能である。また、３軸の加速度センサを用いる場合は、２軸の出力結果に加えて、カメラの光軸の傾動状態を検出可能であり、カメラがどれくらい上向きの状態又は下向きの状態であるかが検出可能となる。
【００２０】
ここで、ＡＦモードに関して、スポットＡＦ、任意選択ＡＦ、領域拡大ＡＦ、ワイドエリアＡＦ、全自動選択を簡単に説明する。
・スポットＡＦ：選択された焦点状態検出点において、所定のＡＦセンサ画素数よりも少ない画素数で焦点状態検出を行うＡＦ。
・任意選択ＡＦ：選択された焦点状態検出点において、所定のセンサ画素数で焦点状態検出を行うＡＦ。
・領域拡大ＡＦ：選択された焦点状態検出点において焦点状態検出を行うが、その焦点状態検出点で焦点状態検出ができないときのみ、予め決められた上下方向で隣り合う焦点状態検出点で焦点状態検出を行うＡＦ。
・ワイドエリアＡＦ：グループ化された焦点状態検出点群で焦点状態検出を行い、それらの焦点状態検出点のうちでＡＦセンサの２つの像信号の一致度が高く、最も近距離である１点を自動で選択し、ピントを合わせるＡＦ。
・全自動選択ＡＦ：全ての焦点状態検出点（本実施形態では１９点）で焦点状態検出を行い、全焦点状態検出点のうちでＡＦセンサの２つの像信号の一致度が高く、最も近距離である１点を自動で選択し、ピントを合わせるＡＦ。
【００２１】
次に図４のフローチャートを用いて、本実施形態に係る撮影動作について説明する。以下の処理は、マイクロコンピュータ１６によって解釈されて実行されるプログラムに従って行われる。
まず、Ｓ３００にて撮影動作が開始すると、Ｓ３０１に進む。ここで、マイクロコンピュータ１６は電源状態を判定するためのタイマがタイムアウトしたかどうかを判定する。その結果、タイマの計時時間が所定時間に達してタイムアウトしたと判定された場合、電源切断の処理のためにＳ３２０に進む。タイムアウトと判定されない場合、Ｓ３０２に進む。
【００２２】
Ｓ３０２では、各種の設定が行われる。マイクロコンピュータ１６は操作部１８からの入力に従って、カメラのモードなどの各種の設定を行う。ＡＦモードに係るスポット、任意選択、領域拡大、ワイドエリア、又は全自動選択などの切替についての設定もここで行われる。次のＳ３０３では、設定した状態や、各種の設定状態を、外部液晶表示部２２などに表示する処理が行われる。またマイクロコンピュータ１６は設定された情報、例えばＩＳＯ感度、画像サイズ、及び画質の情報に応じた、画像サイズの予測値データに基づき、メモリコントローラ１３を通してメモリ１４の容量を確認する。そしてマイクロコンピュータ１６は、撮影可能残数を演算して、その結果を所定の表示部に表示させるように制御する。また、ＡＦモードの設定状態や焦点検出状態における焦点状態検出点の情報表示については、マイクロコンピュータ１６が液晶駆動回路２７を制御し、焦点状態検出情報表示用のファインダ内液晶表示部２８に表示させる。各ＡＦモードについての、設定中、スタンバイ（モード設定中でなく焦点状態検出前の待機状態）及び測光中での表示内容については、図２を用いて後で詳説する。
【００２３】
Ｓ３０４では、ＡＦセンサ２４を用いた自動焦点調節が行われる。すなわちマイクロコンピュータ１６は、設定されている焦点状態検出センサを用いて、被写体のデフォーカス量を検出し、焦点調節を行う。次のＳ３０５のＡＥ処理では、Ｓ３０４での合焦結果が得られた場合と、合焦結果が得られない場合とで処理内容が異なる。Ｓ３０４での合焦結果がある場合、合焦点に基づいて複数個の測光センサを用いて被写体の輝度を測定し、マイクロコンピュータ１６は適正露出を得るためのシャッタ秒時や絞り値を演算する。一方、Ｓ３０４での合焦結果がない場合、中央の測光エリアを基準に複数個の測光センサを用いて被写体の輝度を測定し、マイクロコンピュータ１６は適正露出を得るためのシャッタ秒時や絞り値を演算する。焦点状態検出点を基準とした測光演算には、多くの方法が提案されているが、最も単純なものは、基準とする焦点状態検出点に対応した測光エリアを中心とした重点測光である。
【００２４】
Ｓ３０６にてマイクロコンピュータ１６は、レリーズ釦２０が半押し状態か否かを判定する。その結果、スイッチ２０ａ（ＳＷ１）のみがオン状態の場合、Ｓ３０７に進み、前記Ｓ３０１のタイマが更新される。レリーズ釦２０が押されていない状態、つまりスイッチ２０ａ、２０ｂともにオフ状態の場合、Ｓ３０１に戻る。Ｓ３０６からＳ３０１に戻り、一定時間に亘って処理を繰り返すループ状態が、上記で説明したスタンバイ状態である。
Ｓ３０７にて電源ＯＦＦ判定用のタイマが更新された後、Ｓ３０８に進む。ここでマイクロコンピュータ１６は、レリーズ釦２０が操作可能な状態であり、かつ、当該釦が半押し状態から最後まで押されたかどうか、つまりスイッチ２０ａ（ＳＷ１）及び２０ｂ（ＳＷ２）がオン状態になったか否かを判定する。その結果、レリーズ釦２０が押されてＳＷ２のオン状態の場合、画像を撮影するために、Ｓ３０９に進むが、ＳＷ２がオフ状態の場合にはＳ３０１に戻る。
【００２５】
Ｓ３０９にてマイクロコンピュータ１６は、クイックリターンミラー２を制御し、該ミラーをアップ状態にするとともに、撮影レンズ１と通信し、絞り駆動回路部１ｂに制御信号を送出する。これにより前記Ｓ３０５での演算によって求めた絞り値に従って絞りが制御される。次のＳ３１０にてマイクロコンピュータ１６は、フォーカルプレーンシャッタ５により、前記Ｓ３０５での演算で求めたシャッタ時間が得られように該シャッタを制御する。これにより、撮像素子部６による画像データは、撮像信号処理部の回路（クランプ／ＣＤＳ回路７、ＡＧＣ部８、Ａ／Ｄ変換部９）によって取り込まれる。そしてＳ３１１にてマイクロコンピュータ１６は、クイックリターンミラー２を制御し、該ミラーをダウン状態に戻し、撮影レンズ１と通信し、絞りを開放状態に制御する。
【００２６】
Ｓ３１２にてマイクロコンピュータ１６はＡＧＣ部８に対し、設定されたＩＳＯ値に対するゲイン値の制御信号を送って、感度調整を行い、メモリコントローラ１３に画像信号を送り、バッファメモリ１９に画像データを一時保管する。Ｓ３１３にてマイクロコンピュータ１６は、映像信号処理回路１０の出力であるホワイトバランス情報に基づいて、適正な色バランスで画像を表現できるように、映像信号処理回路１０で用いるＲ及びＢの色信号ゲインを演算で決定する。次のＳ３１４にて、バッファメモリ１９に格納された未処理の画像データについては、映像信号処理回路１０が軽負荷であって画像処理が可能であるときに処理して圧縮を施し、メモリ１４に格納する動作が開始する。連写等の場合、バッファメモリ１９へ画像データが次々に格納されるが、画像処理は停止した状態になることもある。Ｓ３１５にてマイクロコンピュータ１６は、撮影可能枚数、つまりメモリ１４に記録できる画像数を算出する。そしてＳ３１６では、Ｓ３１４で処理した画像信号が液晶駆動回路１１に送られ、液晶表示部１２に画像が表示される。
【００２７】
Ｓ３１７にてマイクロコンピュータ１６は、Ｓ３０３、Ｓ３０４、Ｓ３１５で決定した撮影情報を液晶駆動回路２１に送り、外部液晶表示部２２に表示するように制御する。この撮影情報は同様に、ファインダ内液晶表示部２３にも表示される。また、液晶駆動回路２７はマイクロコンピュータ１６から指令に従って、ＡＦの設定状態や合焦状態を焦点状態検出情報表示用のファインダ内液晶表示部２８に表示させる。Ｓ３１８では、メモリ１４に記憶可能な領域が存在するか否かの判定結果と、バッファメモリ１９における未処理の画像データの存在を考慮した容量判定結果に基づいて、新たな撮影が可能であるか否かをマイクロコンピュータ１６が判断する。その結果、撮影が可能である場合、Ｓ３０１に戻って上記処理を続行するが、撮影が可能でない場合には、警告表示を行うためにＳ３１９に進む。ここで、これ以上撮影が不可能な状態である旨の情報が表示され、Ｓ３０１に戻る。
【００２８】
Ｓ３０１でのタイムアウトの判定後、Ｓ３２０に進む。ここでマイクロコンピュータ１６から指令に従って液晶駆動回路２１により、外部液晶表示部２２及びファインダ内液晶表示部２３が非表示となり、ファインダ内液晶表示部２３のバックライトも消灯する。そして、液晶駆動回路２７により、焦点状態検出情報表示用のファインダ内液晶表示部２８も消灯する。Ｓ３２１では、Ｓ３１４で開始された、画像処理、圧縮及びメモリ格納処理の終了待ちとなる。つまりマイクロコンピュータ１６は、これらの処理が全て終了し、バッファメモリ１９における撮影画像領域が空になるのを待ってからＳ３２２に進む。ここでマイクロコンピュータ１６が電源部１７に指示を出し、必要の無い電源供給が断たれた後、Ｓ３２３にて上記一連の処理が終了する。
【００２９】
図２は本実施形態の特徴を示す図であり、各ＡＦモード（スポット、任意選択、領域拡大、ワイドエリア、全自動選択）に対する、設定時及びスタンバイ時の表示例を示す。左列の（１４１）から（１４６）が焦点状態検出点の選択時、つまり選択設定中の表示例を示し、焦点状態検出点やモードの設定時におけるファインダ内液晶表示部２８による表示内容を示している。また右列の（１４７）から（１４９），（１４ａ），（１４ｂ），（１４ｃ）はスタンバイ及び測光中の表示例を示し、設定モードが終了した状態での表示内容を示す。
【００３０】
例えば、ＡＦモードがスポットＡＦの時には、設定中の焦点状態検出点の選択状態では（１４１）の表示が行われる。本例では１９点のうち中央の焦点状態検出点が選択された状態を示しており、中央に位置する焦点状態検出点については一回り大きな四角形内に小さい四角形が表示され、それ以外の１８点については小さい四角形だけが表示される。また、焦点状態検出点の選択状態から抜けたスタンバイ状態や測光中には、（１４７）の表示が行われる。つまり、選択された中央の焦点状態検出点については（１４１）の表示と同様であり、それ以外の焦点状態検出点については表示セグメントが消灯して非表示となる。また、任意選択ＡＦ時には、スポットＡＦ時と同様に、設定中の焦点状態検出点の選択状態では（１４２）の表示が行われる。本例では、１９点のうち中央に位置する焦点状態検出点が選択された状態を示しており、中央に位置する焦点状態検出点については大きな四角形だけが表示され、それ以外の１８点については小さい四角形が表示される。また、焦点状態検出点の選択状態から抜けたスタンバイ状態や測光中には、（１４８）の表示が行われる。本例では選択された焦点状態検出点が一回り大きな四角形で表示され、それ以外の焦点状態検出点については表示セグメントが消灯して非表示となる。このように、選択された焦点状態検出点については、スポットＡＦ時には大小２つの表示セグメント（本例では四角形状の表示要素）が点灯するのに対し、任意選択ＡＦ時には、大きい表示セグメントのみが点灯する。これにより、撮影者はモードが異なっていることを認識できる。
【００３１】
ＡＦモードが領域拡大ＡＦモード時には、設定中の焦点状態検出点の選択状態で（１４３）の表示が行われる。図示の例では、１９点のうちで中央に位置する焦点状態検出点が主たる焦点状態検出点（主検出点）として選択された状態を示している。該焦点状態検出点が大きな四角形で表示され、その周囲において上下左右で隣り合う各一点が補助的なＡＦポイント（アシスト点、あるいは従属検出点）であることを示している。これらのアシスト点については大小２つの表示セグメント、つまり２重の四角形を同時に点灯することで、大きい表示セグメントのみを点灯している主検出点との区別が可能となる。また、設定時の焦点状態検出点の選択状態から抜けたスタンバイ状態や測光中には、（１４９）の表示が行われる。本例では、選択された主検出点とアシスト点だけが表示され、それ以外の焦点状態検出点については表示セグメントが消灯する。ここで、主検出点については大きい四角形の表示セグメントのみの点灯で表現され、アシスト点については小さい四角形の表示セグメントのみの点灯で表現される。これにより撮影者は、主検出点とアシスト点とを判別できる。
【００３２】
ワイドエリアＡＦ時には、設定中の焦点状態検出点の選択状態で（１４４）の表示が行われる。図示の例では、縦３個×横３個の焦点状態検出点を含む中央のエリアが選択された状態を示している。中央の９個の焦点状態検出点が大きい四角形で表示されるとともに、それらを囲む枠セグメント（図１（Ｃ）の枠セグメントｆ６，ｆ９参照）が表示され、それ以外の焦点状態検出点については小さな四角形で表示される。これにより中央のエリアが選択された場合、中央の９個の焦点状態検出点がグループ化されたことを撮影者が認識できる。焦点状態検出点の選択状態から抜けたスタンバイ状態や測光中には、（１４ａ）の表示が行われる。本例では、エリアの枠セグメントだけが表示され、それら以外の大小の四角形状の表示セグメントは消灯し、非表示となる。
【００３３】
全自動選択ＡＦモード時の表示では、設定中の焦点状態検出点の選択状態にて、サーボＡＦ（被写体の動きに焦点を追従させるオートフォーカスモード）の場合、焦点状態検出のスタートポイントを選択可能にするために（１４５）の表示が行われる。本例では、中央に位置する焦点状態検出開始点が大きい四角形で表示され、それ以外の焦点状態検出点については小さい四角形で表示される。そしてこれらをとり囲む枠セグメント（図１（Ｃ）の枠セグメントｆ１乃至３、ｆ１１乃至１３参照）が表示される。一方、ワンショットＡＦ（１駒撮影ごとに自動焦点制御を行うオートフォーカスモード）の場合には、設定中の焦点状態検出点の選択状態にて（１４６）の表示が行われる。本例では、全ての焦点状態検出点を囲む枠セグメント（図１（Ｃ）の枠セグメントｆ１乃至３、ｆ１１乃至１３参照）のみが表示され、個々の焦点状態検出点を表す四角形の表示セグメントは消灯する。こうして、全自動選択ＡＦモードにおいて、サーボＡＦが選択されているのか、あるいはワンショットＡＦが選択されているかを撮影者が視覚的に判断できる。焦点状態検出点の選択状態から抜けたスタンバイ状態や測光中には、サーボＡＦの場合、（１４ｂ）の表示が行われる。つまり、選択された焦点状態検出開始点が四角形で表示され、全自動選択を表す枠セグメントが表示され、それ以外の焦点状態検出点については表示セグメントが消灯する。一方、ワンショットＡＦの場合、（１４ｃ）の表示が行われる。本例では、（１４６）の表示と同様に、全自動選択を表す枠セグメントだけが表示され、焦点状態検出点の表示グメントは全て消灯する。
以上の表示形態を採用することにより、撮影者が分かりやすく、しかも撮影時に邪魔にならない、オートフォーカスの焦点状態検出位置の表示やモードに関連した表示を実現できる。
【００３４】
焦点状態検出点数は通常１９点であるが、９点のみを使う仕様におけるファインダ内液晶表示部２８の表示例を図５（Ａ）に示す。左図では１９点のうち、中央に位置する焦点状態検出点が大きい四角形の表示セグメントで表示され、それ以外の焦点状態検出点が小さい四角形の表示セグメントで表示されている。右図では、９点の焦点状態検出点のうち、中央に位置する焦点状態検出点だけが大きい四角形の表示セグメントで表示され、外周に位置する８つの焦点状態検出点が小さい四角形の表示セグメントで表示されている。従来、使用しない焦点状態検出点の表示は消すことができなかったので、１９点を９点に制限したことを、撮影者がファインダ内では明確に確認できなかったが、本例では焦点状態検出点が制限されたことが明示的に表示される。
【００３５】
図５（Ｂ）は、任意選択ＡＦでの待機時及び測光中の表示例を示しており、焦点状態検出点の位置を常に表示するか否かについての設定が可能なモードを用いた場合、その設定状態で表示可能な表示例を示したものである。左図は、焦点状態検出点の位置を常に表示する設定時における表示例を示し、１９点のうち、中央に位置する焦点状態検出点が大きい四角形の表示セグメントで表示され、それ以外の焦点状態検出点が小さい四角形の表示セグメントで表示されている。右図は、焦点状態検出点として設定した位置のみを表示する設定を行った時の表示例を示し、中央に位置する焦点状態検出点だけが大きい四角形の表示セグメントで表示される。
【００３６】
次に、図６を用いて、領域拡大ＡＦ時における主検出点、及びアシスト用の従属検出点の表示形態について説明する。領域拡大ＡＦにおいて、ワンショットＡＦでの合焦時や、サーボＡＦでの追従状態で、従属検出点がアクティブになった場合には、これを主検出点と同様に表示にする制御が行われる。
スタンバイ状態では、図６の（Ａ）に示すように、主検出点が大きい四角形の表示セグメントで点灯し、主検出点の上下左右に位置する、アシスト用の従属検出点は小さい四角形の表示セグメントで点灯する。
【００３７】
まず、ワンショットＡＦでの合焦中の表示について説明する。ＡＦ動作が開始し、主検出点がアクティブフレームとして合焦した場合、図６の（Ａ−１）に示すように、主検出点が大きい四角形の表示セグメントで点灯し、従属検出点が小さい四角形の表示セグメントで点灯する。つまり、スタンバイ状態と同じ点灯状態である。ＡＦ動作を開始し、従属検出点がアクティブフレームとして合焦したならば、図６の（Ｂ−１）、（Ｃ−１）、（Ｄ−１）、（Ｅ−１）に示すように、アクティブとなった従属検出点も大きな四角形の表示セグメントで点灯する。これらの図は、主検出点の上下左右にそれぞれ位置する従属検出点が、主検出点と同様に大きな四角形で表示される様子を示す。このように、従属検出点がアクティブフレームとして合焦した場合、焦点状態検出動作の終了後に、該従属検出点を主検出点と同じ大きさの表示セグメントで表現することにより、どの焦点状態検出点で合焦したかが分かり易くなり、ユーザの利便性が向上する。
【００３８】
次に、サーボＡＦでの追従時の表示について説明する。基本的には図６の（Ａ）にて設定した主検出点での追従が前提となり、よって図６の（Ａ−２）に示すように、主検出点を大きい四角形の表示セグメントで点灯し、アシスト用の従属検出点を小さい四角形の表示セグメントで点灯するように表示制御が行われる。しかし、被写体の動きに対して主検出点で追従ができない場合には、従属検出点での追従が行われる。すなわち図６の（Ｂ−２）、（Ｃ−２）、（Ｄ−２）、（Ｅ−２）のように、主検出点を大きい四角形の表示セグメントで点灯し、アクティブなアシスト用の従属検出点についても、大きい四角形の表示セグメントで点灯するように表示制御が行われる。本モードでの追従中は、被写体の動きに焦点を追従させるために、焦点状態検出点の変更の度に（Ａ−２）、（Ｂ−２）、（Ｃ−２）、（Ｄ−２）、（Ｅ−２）の間で表示が切り替わる。
上記のように、従属検出点がアクティブフレームとして被写体の動きに追従している場合、その従属検出点を主検出点と同じ大きさの表示セグメントで表現することが好ましい。これにより、撮影者にはどの焦点状態検出点で追従をしているかが分かり易くなり、利便性が向上する。
【００３９】
次に、ワンショットＡＦでの非合焦時や、サーボＡＦにて追従不可能になった場合を説明する。この両方の場合において、主検出点及び従属検出点のどちらでも合焦できないので、その旨を撮影者に示すため、図６の（Ａ−３）、（Ｂ−３）、（Ｃ−３）、（Ｄ−３）のいずれかの表示が行われる。つまり、（Ａ−３）では主検出点だけが小さい四角形の表示セグメントで点灯し、従属検出点については表示セグメントが消灯する。（Ｂ−３）では、主検出点、従属検出点ともに小さい四角形の表示セグメントで点灯する。（Ｃ−３）では主検出点については表示セグメントが消灯し、従属検出点については小さい四角形の表示セグメントで点灯する。（Ｄ−３）では主検出点、従属検出点ともに表示セグメントが消灯する。このように、非合焦時や追従不可能の場合には、スタンバイ時や、通常の合焦時又は追従時とは異なる表示形態を採ることが好ましい、これにより、撮影者の期待する動作ができなかったことを明示的に表示できるので、利便性が向上する。
【００４０】
以上のように、本実施形態によれば、撮影者にとって分かり易く、撮影時に邪魔にならないように、オートフォーカスの焦点状態検出位置の表示やモードに関連した表示を実現できる。例えば、任意の焦点状態検出点の選択設定時には、全ての焦点状態検出点を確認しながら、最適な焦点状態検出ポイントの設定が可能である。また、領域拡大モード時には、現在、どの焦点状態検出点で合焦しているかを撮影者が明確に確認でき、意図したピント状態かどうかを判断できるようになる。その際、撮影者が設定状況を記憶しておき、だいたいこの辺がアシスト点であると推測しながら撮影するといったことがなくなり、使い勝手がよくなる。そして、ワイドエリアＡＦ時には、任意選択可能な焦点状態検出点のうち、どの焦点状態検出点がグループ化されているのかが明確となる。また、スポットＡＦ時には、焦点状態検出範囲が狭くなったことを明確に表示できるようになる。
【００４１】
前記した表示セグメントや枠セグメントによる表示形態については、ファインダスクリーン上に配置された焦点状態検出点や検出範囲の表示装置に適用することができる。また、ファインダ内の実画像と重ねて観測表示装置の表示と同等のイメージの表示を外部表示装置（ＴＦＴ液晶表示デバイスなど）でも、同様の表示を行うことができる。なお前記の例では、矩形状の表示セグメントや括弧形の枠セグメントを使用したが、その形状や数、大きさなどの如何は問わず、各種各様の形態で本発明を実施できることは勿論である。
【符号の説明】
【００４２】
ｆ１乃至１４  枠セグメント
Ｐ１乃至１９  焦点状態検出点
１６  マイクロコンピュータ（制御手段）
２４  ＡＦセンサ
２７  合焦表示用のファインダ内液晶表示部の液晶駆動回路
２８  合焦表示用のファインダ内液晶表示部
【図１】
0005409205.tif 000002
【図２】
0005409205.tif 000003
【図３】
0005409205.tif 000004
【図４】
0005409205.tif 000005
【図５】
0005409205.tif 000006
【図６】
0005409205.tif 000007